(57)【特許請求の範囲】
【請求項１】
原稿台ガラスの下側に配置され、該原稿台ガラス上の原稿に光を照射する光源と、
上記光源を保持し、主走査方向と直交する副走査方向に移動可能なキャリッジと、
上記光源より照射されて上記原稿で反射された光を受光し、受光した光を電気信号に変換する光電変換部と、
上記副走査方向に延びると共に主走査方向に間隔を空けて配置され、上記キャリッジを副走査方向に移動可能に支持する一対のレール部材と、
回転可能な軸部と、
上記軸部に固定され、周面が上記一対のレール部材のうち少なくとも一方の所定箇所に当接し、該軸部と共に回転することにより当該レール部材の該所定箇所を上下方向に変位させる偏心カム部と、
上面に原稿台ガラスが装着され、上記光源とキャリッジと光電変換部と一対のレール部材とを内部に収容する筐体とを備え、
上記軸部は、上記筐体の側壁を貫通していて、一側端部が上記偏心カム部に固定され、他側端部が該筐体の外部に突出しており、
上記軸部の他側端部には、該軸部を偏心カム部と共に回転操作するための操作部が連結され、
上記軸部の他側端部と上記操作部との間に介在するギア機構をさらに備え、
上記軸部の他側端部は、上記ギア機構を介して上記操作部に連結されている、画像読取装置。
【請求項２】
請求項１記載の画像読取装置において、
上記軸部は四つ設けられ、
上記偏心カム部は該各軸部のそれぞれに対して一つずつ設けられ、該各偏心カム部は、上記一対のレール部材の副走査方向の両端部である上記所定箇所に当接し、該各軸部と共に回転することにより該各レール部材の該各所定箇所を上下方向に変位させるように構成されている、画像読取装置。
【請求項３】
請求項１記載の画像読取装置において、
上記軸部は、上記原稿台ガラスの上側から見て上記一対のレール部材の主走査方向の外側に設けられた側壁を貫通しており、
上記操作部は、上記筐体の上記側壁の外側にて上記軸部に上記ギア機構を介して連結されている、画像読取装置。
【請求項４】
請求項１乃至３のいずれか一項に記載の画像読取装置において、
上記操作部の回転半径は、上記偏心カム部の最大半径よりも大きい、画像読取装置。
【請求項５】
請求項１乃至４のいずれか一項に記載の画像読取装置において、
上記キャリッジは、上記光源に加えて、上記原稿台ガラス上の原稿からの反射光を所定の方向に向けて反射する第１反射ミラーをさらに保持しており、
上記第１反射ミラーによって反射された光を下方に向けて反射させる第２反射ミラーと、
上記第２反射ミラーの下方に配置され、該第２反射ミラーからの光を上記光電変換部に向けて反射させる第３反射ミラーと、
上記第２及び第３反射ミラーを保持すると共に副走査方向に移動可能に構成された、上記キャリッジとは別のキャリッジをさらに備え、
上記両キャリッジは共に、上記一対のレール部材に支持されている、画像読取装置。
【請求項６】
請求項１乃至５のいずれか一項に記載の画像読取装置を備えた画像形成装置。
【発明の詳細な説明】
【技術分野】
【０００１】
本発明は、画像読取装置及び該画像読取装置を備えた画像形成装置に関する。
【背景技術】
【０００２】
従来より、複写機等の画像形成装置に搭載される画像読取装置として、例えばライン状の光源から原稿台ガラスに載置された原稿に光を照射し、ミラーを介して原稿からの反射光を光電変換部で受光するようにしたものが知られている。例えば、特許文献１に示す画像読取装置では、１つの光源と３つのミラー（第１〜第３ミラー）とを有している。光源及び第１ミラーは、第１キャリッジにより保持されており、第２及び第３ミラーは第２キャリッジにより保持されている。第１及び第２キャリッジは、主走査方向に間隔を空けて並ぶ一対のレール部材によって副走査方向（主走査方向に直交する方向）に移動可能に支持されている。画像読取時には、第１及び第２キャリッジがそれぞれ駆動機構によって所定の速度で副走査方向に駆動される。
【先行技術文献】
【特許文献】
【０００３】
【特許文献１】特開２００３−２３３１３９号公報
【発明の概要】
【発明が解決しようとする課題】
【０００４】
しかしながら、上記特許文献１に示す従来の画像読取装置では、組付け誤差等により、一対のレール部材の平行度が損なわれたり各レール部材の組付け高さが異なったりする場合がある。この結果、キャリッジが副走査方向に移動中に傾くなどして、読取り画像に画像歪みが生じるという問題がある。
【０００５】
本発明は、かかる点に鑑みてなされたものであり、その目的とするところは、光源及び反射ミラーを保持するキャリッジと、主走査方向に間隔を空けて配置され、該キャリッジを副走査方向に移動可能に支持するレール部材とを備えた画像読取装置において、一対のレール部材の高さ方向における互いの相対位置を容易に調整できるようにすることにある。
【課題を解決するための手段】
【０００６】
本発明に係る画像読取装置は、原稿台ガラスの下側に配置され、該原稿台ガラス上の原稿に光を照射する光源と、上記光源を保持し、主走査方向と直交する副走査方向に移動可能なキャリッジと、上記光源より照射されて上記原稿で反射された光を受光し、受光した光を電気信号に変換する光電変換部と、上記副走査方向に延びると共に主走査方向に間隔を空けて配置され、上記キャリッジを副走査方向に移動可能に支持する一対のレール部材と、回転可能な軸部と、上記軸部に固定され、周面が上記一対のレール部材のうち少なくとも一方の所定箇所に当接し、該軸部と共に回転することにより当該レール部材の該所定箇所を上下方向に変位させる偏心カム部と、上面に原稿台ガラスが装着され、上記光源とキャリッジと光電変換部と一対のレール部材とを内部に収容する筐体とを備え、上記軸部は、上記筐体の側壁を貫通していて、一側端部が上記偏心カム部に固定され、他側端部が該筐体の外部に突出しており、上記軸部の他側端部には、該軸部を偏心カム部と共に回転操作するための操作部が連結され、上記軸部の他側端部と上記操作部との間に介在するギア機構をさらに備え、上記軸部の他側端部は、上記ギア機構を介して上記操作部に連結されている。
【０００７】
この構成によれば、軸部を回転させると、偏心カム部が該軸部と共に回し、これに伴い、偏心カム部の周面に当接するレール部材の所定箇所が上下方向に変位する。したがって、ユーザーが軸部の回転角度を調整して該所定箇所の変位量を調整することで、一対のレール部材の高さ方向における互いの相対位置を容易に調整することができる。延いては、キャリッジが副走査方向に移動中に傾くのを防止することができる。
【０００８】
また、上記構成によれば、ユーザーが軸部の他側端部に連結された操作部を回転操作することで、偏心カム部を軸部と共に回転させて一対のレール部材の高さ方向の相対位置を調整することができる。しかも、操作部が連結された軸部の他側端部は、筐体の側壁を貫通して筐体の外部に突出しているので、ユーザーは筐体の外部から操作部を操作して偏心カム部を容易に回転させることができる。したがって、ユーザーは、レール部材の位置調整に際して、画像読取装置を分解して筐体内に手を入れる必要もないので該調整作業を容易に行うことができる。
【０００９】
また上記構成によれば、操作部を軸部に直結させた場合に比べて、操作部の配置自由度が増すので、操作部をユーザーが操作し易い位置に配置することができる。また、ギア機構のギア比を調整することで、操作部の回転量に対する偏心カム部の回転量の比率を容易に調整することができる。
【００１０】
上記軸部は四つ設けられ、上記偏心カム部は該各軸部のそれぞれに対して一つずつ設けられ、該各偏心カム部は、上記一対のレール部材の副走査方向の両端部である上記所定箇所に当接し、該各軸部と共に回転することにより該各レール部材の該各所定箇所を上下方向に変位させるように構成されていることが好ましい。
【００１１】
上記軸部は、上記原稿台ガラスの上側から見て上記一対のレール部材の主走査方向の外側に設けられた側壁を貫通しており、上記操作部は、上記筐体の上記側壁の外側にて上記軸部に上記ギア機構を介して連結されていることが好ましい。
【００１２】
上記操作部の回転半径は、上記偏心カム部の最大半径よりも大きいことが好ましい。
【００１３】
この構成によれば、操作部の回転半径が偏心カム部の最大回転半径よりも大きいので、ユーザーは僅かな力で大きな操作トルクを偏心カム部に付与することができる。よって、偏心カム部をレール部材からの反力に抗して容易に回転させることができる。延いては、レール部材の位置調整をより一層容易化することができる。
【００１４】
上記キャリッジは、上記光源に加えて、上記原稿台ガラス上の原稿からの反射光を所定の方向に向けて反射する第１反射ミラーをさらに保持しており、上記第１反射ミラーによって反射された光を下方に向けて反射させる第２反射ミラーと、上記第２反射ミラーの下方に配置され、上記第２反射ミラーからの光を上記光電変換部に向けて反射させる第３反射ミラーと、上記第２及び第３反射ミラーを保持すると共に上記副走査方向に移動可能に構成された、上記キャリッジとは別のキャリッジをさらに備え、上記両キャリッジは共に、上記一対のレール部材に支持されていることが好ましい。
【００１５】
この構成によれば、第１反射ミラーを支持するキャリッジとは別に、第２及び第３反射ミラーを支持するキャリッジを設けるようにしているので、各キャリッジの移動速度を異ならせることで原稿から光電変換部までの光路長を一定に維持することができる。
【００１６】
ここで、両キャリッジをそれぞれ別のレール部材対で支持するようにした場合、各キャリッジを支持するレール部材に対してそれぞれ上述の位置調整を行う必要がある。これに対して、上記構成では、両キャリッジが共通のレール部材に支持されているので、各キャリッジごとにレール部材の位置調整を行う必要がない。よって、ユーザーがレール部材の位置調整を行う際の煩わしさを低減することができる。
【００１７】
本発明に係る画像形成装置は、上記画像読取装置を備えていることが好ましい。
【００１８】
この構成によれば、画像形成装置によって形成される画像の画像歪みを低減することができる。
【発明の効果】
【００１９】
本発明によれば、光源及び反射ミラーを保持するキャリッジと、主走査方向に間隔を空けて配置され、該キャリッジを副走査方向に移動可能に支持する一対のレール部材とを備えた画像読取装置において、一対のレール部材の高さ方向における互いの相対位置を容易に調整することができる。
【図面の簡単な説明】
【００２０】
【図１】図１は、実施形態における画像読取装置を備えた画像形成装置を示す斜視図である。
【図２】図２は、画像形成装置本体内の構造を示す概略図である。
【図３】図３は、画像読取装置の内部構造を示す
【図４】図４は、図３のIV−IV線断面図である。
【図５】図５は、画像読取装置を上側から見た概略の平面図である。
【図６】図６は、レール部材の位置調整機構を示す、筐体の内方側から見た斜視図である。
【図７】図７は、レール部材の位置調整機構を示す、筐体の外方側から見た斜視図である。
【図８】図８は、図５のVIII方向矢視図であって、上段図は偏心カム部の最大径部がレール部材に当接する状態を示し、下段図は偏心カム部の最小径部がレール部材に当接する状態を示している。
【図９】図９は、実施形態２を示す図５相当図である。
【発明を実施するための形態】
【００２１】
以下、本発明の実施形態を図面に基づいて詳細に説明する。尚、本発明は、以下の実施形態に限定されるものではない。
【００２２】
《実施形態》
図１及び図２は、本実施形態の画像読取装置２００を備えた画像形成装置１を示している。この画像形成装置１は、いわゆる胴内排紙型の複写機であって、画像形成装置本体１００と画像読取装置２００と支持筐体部３００とを有している。画像読取装置２００は、原稿画像を読取ってその画像データを取得する。画像形成装置本体１００内には、画像読取装置２００が取得した画像データを用紙Ｐに印刷するための画像形成部３０が収容されている。画像読取装置２００は、支持筐体部３００を介して画像形成装置本体１００の上側に支持されている。画像形成装置本体１００と画像読取装置２００との間には、用紙排出空間Ｓが形成されている。
【００２３】
上記画像読取装置２００は、画像読取ユニット２１０を内部に収容する略直方体状の筐体２０１を有している。筐体２０１の側面には、ユーザーが画像形成装置１に対して各種の操作指示を行うための操作パネル２０５が設けられている（図１参照）。以下の説明において、画像形成装置１における操作パネル２０５が位置する側を「前側」とし、その反対側を「後側」とする。また、画像形成装置１を前側から見た場合における左側を「左側」とし、右側を「右側」とする。
【００２４】
図３に示すように、上記筐体２０１の上面２０１ａには略矩形状の開口部２０１ｂが形成されており、この開口部２０１ｂにはコンタクトガラス（原稿台ガラス）２０１ｃが嵌め込まれている。筐体２０１の上面２０１ａの後側の端縁部には、原稿カバー２２０がヒンジ部（図示省略）を介して開閉自在に支持されている。原稿カバー２２０は、閉状態において、コンタクトガラス２０１ｃ上に載置された原稿Ｇを上側から押さえて固定する。
【００２５】
上記画像読取ユニット２１０は、コンタクトガラス２０１ｃの裏面側（原稿載置面側とは反対側）に配置されている。画像読取ユニット２１０は、コンタクトガラス２０１ｃ上に載置された原稿Ｇを光学的に読取ってその画像データを生成すると共にメモリに記憶する。画像読取ユニット２１０の詳細については後述する。
【００２６】
上記画像形成部３０は、画像形成装置本体１００内の下部における右側壁部寄りに配置されている。画像形成部３０の左側には、給紙部１０が設けられ、画像形成部３０の上側には定着部４０が設けられている。給紙部１０は、シート状の用紙Ｐが収容される給紙カセット１０ａと、該給紙カセット１０ａ内の用紙Ｐを取り出して該カセット１０ａ外に送り出すためのピックアップローラー１０ｂとを有している。給紙カセット１０ａよりカセット外に送り出された用紙Ｐは、搬送ローラー対１１を介して画像形成部３０に供給される。
【００２７】
画像形成部３０は、感光ドラム２１、帯電器２３、露光装置２５、現像装置２７、及び転写器２９を有している。画像形成時には、先ず、帯電器２３によって感光ドラム２１の周面が帯電され、次いで、露光装置２５によって感光ドラム２１の表面に原稿画像データ（画像読取ユニット２１０により生成した原稿画像の画像データ）に基づくレーザー光が照射されて静電潜像が形成される。この静電潜像は、現像装置２７により現像されてトナー像となる。このトナー像は、用紙が転写器２９と感光ドラム２１との間を通過する際に該転写器２９によって用紙Ｐに転写される。
【００２８】
定着部４０は、定着ローラー４０ａ及び加圧ローラー４０ｂを有していて、転写器２９より供給される用紙Ｐを定着ローラー４０ａ及び加圧ローラー４０ｂ間で加圧することにより、当該用紙Ｐにトナー像を熱定着させる。定着部４０にてトナー像が定着された用紙Ｐは、搬送ローラー対１２,１３により用紙排出空間Ｓへと導かれる。
【００２９】
図３に示すように、画像読取装置２００は、筐体２０１と、筐体２０１の上面に装着され、原稿Ｇが載置されるコンタクトガラス２０１ｃと、コンタクトガラス２０１ｃの下側に設けられた第１キャリッジ２１１と、第１キャリッジ２１１の左側に設けられた第２キャリッジ２１２と、第２キャリッジ２１２の右側に設けられた光電変換部２３０とを備えている。
【００３０】
第１キャリッジ２１１及び第２キャリッジ２１２は、一対のレール部材２１３Ｆ，２１３Ｒ（図３では一方のレール部材２１３Ｒのみを示す）により左右方向（主走査方向に直交する副走査方向）に移動可能に支持されている。第１キャリッジ２１１及び第２キャリッジ２１２はそれぞれ、レール部材２１３Ｆ，２１３Ｒに点接触する球面状の当接部２１１ａ及び当接部２１２ａを有している。一対のレール部材２１３Ｆ，２１３Ｒによる各キャリッジ２１１，２１２の支持構造の詳細は後述する。第１キャリッジ２１１及び第２キャリッジ２１２は、それぞれ、図示しない駆動機構に接続されている。画像読取装置２００による画像読取時には、各駆動機構が、各キャリッジ２１１，２１２を一対のレール部材２１３Ｆ，２１３Ｒに沿って副走査方向に駆動する。上記駆動機構は、例えば、無端状の歯付き回転ベルトと該回転ベルトの内周面の歯部に噛合する可動プーリーとで構成される。
【００３１】
上記第１キャリッジ２１１は、光源２２１と第１反射ミラー２２２とを保持している。第１キャリッジ２１１は該光源２２１共に筐体２０１内に収容されている。光源２２１は、コンタクトガラス２０１ｃ上の原稿Ｇに向けて、主走査方向（図３の紙面に垂直方向）に延びるライン状の照明光を照射する。光源２２１は、主走査方向に並ぶ複数の発光素子を有するライン光源により構成されている。尚、光源２２１は、主走査方向にライン状に広がる光を照射する拡散型の点光源であってもよい。第１反射ミラー２２２は、原稿Ｇからの反射光を第２キャリッジ２１２に向けて反射する。第１反射ミラー２２２は、鉛直方向に対して４５度に傾斜している。
【００３２】
上記第２キャリッジ２１２は、第２反射ミラー２２３と第３反射ミラー２２４とを保持している。第２反射ミラー２２３は、水平方向において第１キャリッジ２１１に対向して配置されている。第２反射ミラー２２３は、鉛直方向に対して第１反射ミラー２２２と同じ方向に４５度で傾斜している。第３反射ミラー２２４は、第２反射ミラー２２３の下側に配置されている。第３反射ミラー２２４は、垂直方向に対して第２反射ミラー２２３とは反対方向に４５度で傾斜している。
【００３３】
上記第１キャリッジ５０の第１反射ミラー２２２で反射された光は水平方向に進行して第２反射ミラー２２３に至り、第２反射ミラー２２３で反射した光は下方に進行して第３反射ミラー２２４に至り、第３反射ミラー２２４で反射した光は水平方向に進行して光電変換部２３０へ導かれる。
【００３４】
光電変換部２３０は、結像レンズ２３１と、結像レンズ２３１の右側に配置されるイメージセンサー２３２と備えていて、筐体２０１の底壁に固定されている。結像レンズ２３１は、第３反射ミラー２２４を介して入射した原稿Ｇの反射光をイメージセンサー２３２上に結像させる。イメージセンサー２３２は、主走査方向に配列されたＣＣＤ等の撮像素子を有し、結像レンズ７１により結像された原稿Ｇの光学像を電気信号に変換する。
【００３５】
画像読取装置２００によってコンタクトガラス２０１ｃ上の原稿Ｇの画像を読取る際には、第１キャリッジ２１１に保持された光源２２１により原稿Ｇを照明するとともに、不図示の駆動機構により第１キャリッジ５０を予め設定された初期位置から所定の速度で右方向（副走査方向）へ移動させる。また、第１キャリッジ２１１の移動と連動して、不図示の駆動機構により第２反射ミラー２２３を第１キャリッジ２１１の１／２の速度で右方向（副走査方向）に移動させる。この結果、副走査方向の各移動位置において、第１キャリッジ２１１の光源２２１の照明光による原稿Ｇからの反射光が、第１反射ミラー２２２、第２反射ミラー２２３及び第３反射ミラー２２４で順次反射されて一定の光路長で光電変換部２３０へと導かれる。そして、光電変換部２３０において、原稿Ｇの副走査方向の各位置における画像データが生成されて不図示の画像処理回路に送信される。画像処理回路では、光電変換部２３０からの画像データを合成して原稿全体の画像データを生成する。
【００３６】
次に、図４を参照しながら、一対のレール部材２１３Ｆ，２１３Ｒによる第１及び第２キャリッジ２１１，２１２の支持構造について説明する。一対のレール部材２１３Ｆ，２１３Ｒは、主走査方向に互いに間隔を空けて配置されている。各レール部材２１３Ｆ，２１３Ｒの副走査方向に垂直な断面は、互いの内側に開放するコ字状をなしている。すなわち、各レール部材２１３Ｆ，２１３Ｒは、鉛直板部２１３ａと、該鉛直板部２１３ａの上端部に接続された上側水平板部２１３ｂと、該鉛直板部２１３ａの下端部に接続された下側水平板部２１３ｃとを有している。第１キャリッジ２１１は、当接部２１１ａを介してレール部材２１３Ｆ，２１３Ｒの上側水平板部２１３ｂに当接支持されている。第２キャリッジ２１２は、当接部２１２ａを介してレール部材２１３Ｆ，２１３Ｒの下側水平板部２１３ｃに当接支持されている。
【００３７】
図５に示すように、一方のレール部材２１３Ｒの下側には、他方のレール部材２１３Ｆに対する平行度を調整するための位置調整機構２４０が設けられている。位置調整機構２４０は、上側から見て、一方のレール部材２１３Ｒの副走査方向の一側端部付近に配置されている。位置調整機構２４０は、軸部２４１と偏心カム部２４２と操作部としてのハンドル部２４３とを有している。軸部２４１は、該レール部材２１３Ｒよりも下側に配置されて主走査方向に延びている。軸部２４１は筐体２０１の側壁２０１ｄを貫通している。該側壁２０１ｄには、該軸部２４１が貫通する貫通孔が形成されており、この貫通孔が軸部２４１を回転可能に支持する軸受孔として機能する。偏心カム部２４２は、円板状に形成されていて軸部２４１の一側端部に固定されている。偏心カム部２４２は、軸方向から見て軸部２４１に対し偏心して配置されている。すなわち、偏心カム部２４２は、軸部２４１の軸線からの距離が最小となる最小径部２４２ａと該軸線からの距離が最大となる最大径部２４２ｂとを有している。偏心カム部２４２の周面は、一方のレール部材２１３Ｒの一側端部（所定箇所）に下方から当接している。偏心カム部２４２は、軸部２４１と共に回転することによりレール部材２１３の一側端部を上下方向に変位させる。
【００３８】
軸部２４１の他端側は、図７に示すように、筐体２０１の外部に突出している。軸部２４１の他側端部（つまり突出している部分）にはギア２４５（ギア機構）を介してハンドル部２４３が連結されている。ハンドル部２４３は、円板状に形成されていて、筐体２０１の側壁２０１ｄを貫通する軸部２４３ａと共に回転可能になっている。ハンドル部２４３の外周面には周方向の全周に亘ってギア部が形成されており、このギア部が上記ギア２４５に噛合している。ギア２４５の直径はハンドル部２４３の直径よりも十分に小さい。ハンドル部２４３を回転させると軸部２４１に連結されたギア２４５が回転して、軸部２４１が偏心カム部２４２と共に回転する。ハンドル部２４３の回転半径Ｒ（つまりハンドル部２４３の軸部２４１の軸線を中心とする半径Ｒ）は、偏心カム部２４２の最大半径ｒｍａｘ（つまり偏心カム部２４２の最大径部２４２ｂの上記軸線を中心とする回転半径）よりも大きい。
【００３９】
図８に示すように、上記一対のレール部材２１３Ｆ，２１３Ｒにはそれぞれ、固定用の一対の螺子孔２１３ｄ，２１３ｅが形成されている。一対の螺子孔２１３ｄ，２１３ｅは副走査方向に互いに間隔を空けて形成されている。筐体２０１の側壁２０１ｄにおける一対の螺子孔２１３ｄ，２１３ｅに対応する部分には筐体２０１の外方から螺子２１５を挿通するための一対の貫通孔２０１ｅ，２０１ｆが形成されている。一方の貫通孔２０１ｅは螺子孔２１３ｄと同軸の円筒孔からなるのに対し、他方（調整機構２４０が位置する側）の貫通孔２０１ｆは、上下方向に長い長孔により構成されている。このように他方の貫通孔２０１ｆを長孔で構成することで、作業者がレール部材２１３Ｒを筐体２０１に固定する際にその上下方向の傾きを容易に調整することができる。
【００４０】
図８の上段図は、位置調整機構２４０の偏心カム部２４２における最大径部２４２ｂがレール部材２１３Ｒに当接する状態を示している。この状態では、レール部材２１３Ｒが副走査方向の他側から一側(左側から右側に)に向かって上側に傾斜している。この状態からハンドル部２４３（図７参照）を回転させて行くと、偏心カム部２４２の軸線から、偏心カム部２４２とレール部材２１３Ｒとの当接箇所までの距離が次第に減少し、これに伴い、レール部材２１３Ｒの一側端部が下側に変位する。そして、図８の下段図に示すように偏心カム部２４２における最小径部２４２ａがレール部材２１３に当接する状態になると、レール部材２１３Ｒは副走査方向の他端から一側に向かって下側に傾斜するようになる。
【００４１】
このように上記実施形態の画像読取装置２００では、軸部２４１を回転させると、偏心カム部２４２が軸部２４１と共に回し、これに伴い、偏心カム部２４２の周面に当接する一方のレール部材２１３Ｒの一側端部が上下方向に変位する。したがって、ユーザーが軸部２４１軸部の回転角度を調整して該レール部材２１３Ｒの一側端部の上下方向の変位量を調整することで、一対のレール部材２１３Ｆ，２１３Ｒの互いの平行度（つまり高さ方向における互いの相対的な位置関係）を容易に調整することができる。延いては、第１及び第２キャリッジ２１１,２１２が副走査方向に移動中に傾くことにより読取画像に画像歪みが発生するのを防止することができる。
【００４２】
また、上記実施形態では、軸部２４１の他側端部が筐体２０１の外部に突出しており、軸部２４１の他側端部には、ギア２４５を介してハンドル部２４３が連結されている。
【００４３】
この構成によれば、ユーザーは筐体２０１の外部からハンドル部２４３を操作して偏心カム部２４２を容易に回転させることができる。したがって、ユーザーは、レール部材２１３Ｒの傾き調整に際して、画像読取装置２００を分解して筐体２０１内に手を入れる必要もないので該調整作業を容易に行うことができる。
【００４４】
また、上記実施形態では、上記ハンドル部２４３の回転半径Ｒは、上記偏心カム部２４２の最大半径ｒｍｉｎよりも大きく設定されている
したがって、ユーザーは僅かな力で大きな操作トルクを偏心カム部２４２に付与することができる。よって、偏心カム部２４２をレール部材２１３Ｒからの反力に抗して容易に回転させることができる。延いては、一対のレール部材２１３Ｆ，２１３Ｒの高さ方向における互いの相対位置（上記実施形態では平行度）の調整をより一層容易化することができる。
【００４５】
また、上記実施形態では、画像読取装置２００は、軸部２４１の他側端部とハンドル部２４３との間に介在するギア２４５（ギア機構）を備えており、軸部２４１の他側端部は、ギア２４５を介してハンドル部２４３に連結されている。
【００４６】
この構成によれば、ハンドル部２４３を軸部２４１に直結させた場合に比べて、ハンドル部２４３の配置自由度が増すので、ハンドル部２４３をユーザーが操作し易い位置に配置することができる。また、ギア２４５とハンドル部２４３の外周面に形成されたギア部とのギア比を調整することで、ハンドル部２４３の回転量に対する偏心カム部２４２の回転量の比率を容易に調整することができる。
【００４７】
また、上記実施形態では、第１反射ミラー２２２を支持する第１キャリッジ２１１とは別に、第２反射ミラー２２３及び第３反射ミラー２２４を支持する第２キャリッジ２１２を設けるようにしているので、各キャリッジ２１１，２１２の移動速度を異ならせることで原稿Ｇから光電変換部２３０までの光路長を一定に維持することができる。
【００４８】
ここで、両キャリッジ２１１,２１２をそれぞれ別のレール部材で支持するようにした場合、各キャリッジ２１１,２１２を支持するレール部材に対してそれぞれ位置調整を行う必要がある。これに対して、上記構成では、両キャリッジ２１１，２１２が共に同じレール部材２１３Ｆ，２１３Ｒに支持されているので、各キャリッジ２１１,２１２ごとにレール部材の位置調整を行う必要がない。よって、ユーザーがレール部材２１３Ｆ，２１３Ｒの位置調整を行う際の煩わしさを低減することができる。
【００４９】
そして、上記画像読取装置２００を備えた上記画像形成装置１によれば、画像歪みのない良好な画像印刷が可能となる。
【００５０】
《他の実施形態》
上記実施形態では、位置調整機構２４０を一方のレール部材２１３Ｒの一側端部にのみ設けるようにしているが、これに限ったものではなく、例えば図９に示すように、調整機構２４０を各レール部材２１３Ｆ，２１３Ｒの両端部に１つずつ、合計４つ設けるようにしてもよい。この構成によれば、一対のレール部材２１３Ｆ，２１３Ｒの平行度のみでなく各レール部材２１３Ｆ，２１３Ｒの高さも調整することができて好ましい。
【００５１】
上記実施形態では、ハンドル部２４３はギア２４５を介して軸部２４１に連結されているが、これに限ったものではなく、ハンドル部２４３を軸部２４１に直接連結するようにしてもよい。
【００５２】
また、上記実施形態では、第１キャリッジ２１１により光源２２１及び第１反射ミラー２２２を保持し、第２キャリッジ２１２により第２反射ミラー２２３及び第３反射ミラー２２４を保持するようにしているが、これに限ったものではなく、１つのキャリッジ２１１に光源２２１と反射ミラー２２２〜２２４と光電変換部２３０との全てを保持させるようにしてもよい。
【産業上の利用可能性】
【００５３】
以上説明したように、本発明は、画像読取装置及び該画像読取装置を備えた画像形成装置について有用である。
【符号の説明】
【００５４】
１            画像形成装置
２００        画像読取装置
２０１        筐体
２０１ｃ      コンタクトガラス
２０１ｄ      側壁
２１１        第１キャリッジ（キャリッジ）
２１２        第２キャリッジ（別のキャリッジ）
２１３Ｆ      レール部材
２１３Ｒ      レール部材
２２１        光源
２２２        第１反射ミラー
２２３        第２反射ミラー
２２４        第３反射ミラー
２３０        光電変換部
２４０        調整機構
２４１        軸部
２４２        偏心カム部
２４３        ハンドル部（操作部）
２４５        ギア（ギア機構）
【図１】
0006311881.tif 000002
【図２】
0006311881.tif 000003
【図３】
0006311881.tif 000004
【図４】
0006311881.tif 000005
【図５】
0006311881.tif 000006
【図６】
0006311881.tif 000007
【図７】
0006311881.tif 000008
【図８】
0006311881.tif 000009
【図９】
0006311881.tif 000010